(57)【特許請求の範囲】
【請求項１】
複数の現場機器と接続し、この複数の現場機器から得られる監視制御データをネットワークを経由して発信する監視端末と、
前記監視端末から発信される監視制御データを前記ネットワークを経由して受信すると、
データベースに保存し、しかもこの監視制御データをもとに監視制御画面を作成して表示装置に表示する監視制御サーバと、を備え、
前記監視制御サーバは、前記表示装置に、切り出された複数の要素画面からなるスクラップブック画面を画面表示情報に従って表示し、
この画面表示情報は、切り取り位置と、スクラップブック画面表示位置と、倍率と、アクセス日時を含んでいて、
前記監視制御サーバは、アクセス頻度を元にスクラップブック画面の候補を選択し、この選択されたスクラッブック画面の候補は前記表示装置に表示することを特徴とするプラント監視制御システム。
【請求項２】
前記スクラップブック画面は、サムネイルされていることを特徴とする請求項１に記載のプラント監視制御システム。
【請求項３】
前記スクラップブック画面は、故障時の内容を含んでいることを特徴とする請求項１に記載のプラント監視制御システム。
【請求項４】
前記スクラップブック画面の候補は、保存ボタンが押下されると、保存後にスクラップブック画面番号を伴って登録されることを特徴とする請求項１に記載のプラント監視制御システム。
【請求項５】
前記画面表示情報は、キーワードで関連付けられていることを特徴とする請求項１に記載のプラント監視制御システム。
【発明の詳細な説明】
【技術分野】
【０００１】
この発明は、監視制御システムに関わり、特に、画面の切出しによるスクラップブック作成機能を備えたプラント監視制御システムに関するものである。
【背景技術】
【０００２】
道路、河川、ビルなどの各種設備に対するプラント監視制御システムは、監視対象機器（現場機器）、監視端末、監視制御サーバなどから構成されている。プラント監視制御システムにおいては、監視対象機器に状態変化や故障が発生した時に、対象とする画面を表示する必要があった。故障が発生した機器が複数に渡る場合には、監視単位設備ごとに、それぞれの画面を表示するのが主流である。
【０００３】
そのような状況の中で、複数の監視単位設備の中から、対象の部分を切り取った画面を作成し、この切り取った画面を同一の画像表示装置に表示することが提案されている（例えば特許文献１から６を参照）。
【先行技術文献】
【特許文献】
【０００４】
【特許文献１】特開２００９−１８１４３６号公報
【特許文献２】特開２０１２−５３１６号公報
【特許文献３】特開平１１−７３２９２号公報
【特許文献４】特開２００９−４８４５９号公報
【特許文献５】特開２００８−５９０９５号公報
【特許文献６】特開２００１−１２５６３０号公報
【発明の概要】
【発明が解決しようとする課題】
【０００５】
プラント監視制御システムにおける「画面切出しによるスクラップブック機能」は、スクラップブックの画面をシステム単位で個別に作成およびカスタマイズを実施していた。しかしながら、監視対象機器が多いプラント監視制御システムにおいては、システム毎に個別に画面を作成するのはコスト面および納期面で厳しいため、ユーザにて自由にカスタマイズできるような機能を実現する必要があった。この発明は上記のようなプラント監視制御システムにおける課題を解決するためになされたものであり、あらかじめ同時に確認したい画面を切り出して、１つの画面内で自由なレイアウトでスクラップブックのような画面表示ができることを目的とする。
【課題を解決するための手段】
【０００６】
本発明に係るプラント監視制御システムは、複数の現場機器と接続し、この複数の現場機器から得られる監視制御データをネットワークを経由して発信する監視端末と、監視端末から発信される監視制御データをネットワークを経由して受信すると、データベースに保存し、しかもこの監視制御データをもとに監視制御画面を作成して表示装置に表示する監視制御サーバと、を備え、監視制御サーバは、表示装置に、切り出された複数の要素画面からなるスクラップブック画面を画面表示情報に従って表示し、この画面表示情報は、切り取り位置と、スクラップブック画面表示位置と、倍率と、アクセス日時を含んでいて、前記監視制御サーバは、アクセス頻度を元にスクラップブック画面の候補を選択し、この選択されたスクラッブック画面の候補は前記表示装置に表示することを特徴とする。
【発明の効果】
【０００７】
この発明によるプラント監視制御システムは、複数の現場機器と接続し、この複数の現場機器から得られる監視制御データをネットワークを経由して発信する監視端末と、監視端末から発信される監視制御データをネットワークを経由して受信すると、データベースに保存し、しかもこの監視制御データをもとに監視制御画面を作成して表示装置に表示する監視制御サーバと、を備え、監視制御サーバは、表示装置に、切り出された複数の要素画面からなるスクラップブック画面を画面表示情報に従って表示し、この画面表示情報は、切り取り位置と、スクラップブック画面表示位置と、倍率と、アクセス日時を含んでいて、前記監視制御サーバは、アクセス頻度を元にスクラップブック画面の候補を選択し、この選択されたスクラッブック画面の候補は前記表示装置に表示することにより、あらかじめ同時に確認したい画面を切り出して、１つの画面内で自由なレイアウトでスクラップブックのような画面表示を行うことができる。
【図面の簡単な説明】
【０００８】
【図１】この発明の実施の形態に係るプラント監視制御システムを示す全体機能構成図である。
【図２】この発明の実施の形態１に係るスクラップブック画面を示すイメージ図である。
【図３】この発明の実施の形態１に係るスクラップブック画面の要素画面を示す図である。
【図４】この発明の実施の形態１に係る画面表示情報を示すテーブルを表している図である。
【図５】この発明の実施の形態１に係る保存処理のフローを示す図である。
【図６】この発明の実施の形態２に係るスクラップブック画面のメニューを示す図である。
【図７】この発明の実施の形態２に係る保存処理のフローを示す図である。
【図８】この発明の実施の形態２に係るスクラップブック画面を示すイメージ図である。
【図９】この発明の実施の形態３に係る保存処理のフローを示す図である。
【図１０】この発明の実施の形態３に係る画像表示処理を示すイメージ図である。
【図１１】この発明の実施の形態４に係る保存処理のフローを示す図である。
【図１２】この発明の実施の形態４に係る画面表示情報を示すテーブルを表している図である。
【図１３】この発明の実施の形態４に係るスクラップブック画面を示すイメージ図である。
【図１４】この発明の実施の形態５に係る保存処理のフローを示す図である。
【図１５】この発明の実施の形態５に係る関連付けテーブルのイメージ図である。
【発明を実施するための形態】
【０００９】
本発明の実施の形態に係るプラント監視制御システムについて、図を参照しながら以下に説明する。なお、各図において、同一または同様の構成部分については同じ符号を付しており、対応する各構成部のサイズや縮尺はそれぞれ独立している。例えば構成の一部を変更した断面図の間で、変更されていない同一構成部分を図示する際に、同一構成部分のサイズや縮尺が異なっている場合もある。また、プラント監視制御システムの構成は、実際にはさらに複数の部材を備えているが、説明を簡単にするため、説明に必要な部分のみを記載し、他の部分については省略している。
【００１０】
実施の形態１．
以下、この発明の実施の形態を図に基づいて説明する。図１は、本実施の形態に係るプラント監視制御システム１００の構成を概略的に示している。プラント監視制御システム１００は、現場機器１、監視制御サーバ２、監視端末３などから構成されている。現場機器１は、プラント監視制御システム１００が監視対象としている装置であり、ここでは３個の機器が示されている。現場機器１ａ〜１ｃと監視端末３は、専用のケーブル３ｃで接続されている。このケーブル３ｃを通じて、それぞれの現場機器１と監視端末３は、監視制御データを通信している。ユーザは、監視端末３を通じて、現場機器１ａから現場機器１ｃの操作を行うことができるので、プラントの状態を管理および把握することができる。監視制御サーバ２と監視端末３は、ネットワーク６で接続されている。監視端末３は、複数の現場機器から得られる監視制御データをネットワーク６を経由して発信する。監視制御サーバ２は、データベース４、表示装置７、ポインティングデバイス８などを備えている。監視制御サーバ２の表示装置７に表示されるスクラップブック画面５は、メニュー５ａを表示することができる。データベース４には、マウスなどのポインティングデバイスで切り出した画面をスクラップブック画面５に表示するために、座標位置などが保存される。
【００１１】
図２は、監視制御サーバ２の表示装置７に表示される代表的なスクラップブック画面５を表している。スクラップブック画面５は、複数の切り取り画面（要素画面）から構成されている。ここでは、表示装置は、スクラップブック画面番号00001の画面を表示している。このスクラップブック画面は、要素画面番号：14100の要素画面と要素画面番号：13100の要素画面から構成されている。この状態では、両方の要素画面は、倍率が１００％で表示されているが、倍率を変更することで、画面サイズを選択することが可能である。スクラップブック画面における表示位置も自由に変更することができる。
【００１２】
図３は、全画面から要素画面を切り出している様子を表している。図３Ａは最初の保存対象画面を表している。要素画面番号：14100は、現場機器１ａ、現場機器１ｂおよび現場機器１ｃの接続関係を表している画面である。ユーザは、この画面から現場機器１ｂだけを切り取っている。図３Ｂは、要素画面番号：13100から、グラフを切り取っている様子を表している。切り取られたグラフ画面は、先に切り取られた要素画面に重畳されて、表示される。
【００１３】
図４は、スクラップブックの画面表示情報を表すテーブルを示している。本実施の形態に係る画面表示情報は、スクラップブック画面番号、要素画面番号、切り取り位置（ｘ，ｙ）、スクラップブック画面表示位置、倍率などから構成されている。切り取り位置（ｘ，ｙ）は、切り取った画面の、左下端の座標と右上端の座標を表している。倍率を変化させると、スクラップブック画面におけるエリア面積が変わる。スクラップブック画面表示位置を変えると、スクラップブック画面における要素画面の位置が変化する。
【００１４】
次に図５を使って保存処理のフローについて説明する。まず、スクラップブック画面に表示したい保存対象画面を表示する。表示後にスクラップブック画面番号を指定し、ポインティングデバイスにより、切り取り範囲をドラッグにて選択する。次に、スクラップブック画面上に表示する画面の要素画面番号、Ｘ座標、Ｙ座標および倍率を指定する。保存操作を行うと、選択した領域の情報が指定のデータベースに保存され、スクラップブック画面に切り取った画面が表示される。
【００１５】
切り取りたい画面が追加であれば同様の操作を繰り返す。選択が終わると選択した領域を、指定のデータベースに保存する。データベースには、スクラップブック画面番号、切り取った画面の要素画面番号、スクラップブック画面表示位置、倍率を保存している。スクラップブック画面を表示すると、スクラップブック画面番号をキーにデータベースから情報を取得して画面表示を行う。
【００１６】
このように、スクラップブック画面として表示したい画面をデータベースに保存することで、１つの画面で、多岐に渡る画面を表示することができる。マウスなどのポインティングデバイスを使って人間が操作することで、切り出す領域を自由なサイズで切り出すことができる。結果、複数の画面に跨る機器の故障が発生した場合にも、１つのスクラップブック画面を表示するのみで確認が可能となり、障害調査時間の削減が見込める。
【００１７】
従って、本発明に係るプラント監視制御システムは、複数の現場機器と接続し、この複数の現場機器から得られる監視制御データをネットワークを経由して発信する監視端末と、監視端末から発信される監視制御データをネットワークを経由して受信すると、データベースに保存し、しかもこの監視制御データをもとに監視制御画面を作成して表示装置に表示する監視制御サーバと、を備え、監視制御サーバは、表示装置に、切り出された複数の要素画面からなるスクラップブック画面を画面表示情報に従って表示し、この画面表示情報は、切り取り位置と、スクラップブック画面表示位置と、倍率を含んでいることを特徴とする。
【００１８】
実施の形態２．
上記実施の形態１によれば、スクラップブック画面をメニューから選択して表示することができる。しかし、スクラップブック画面の枚数が増加するにつれて、呼び出す画面を判断することが困難になる（図６を参照）。その結果、ユーザが対象とする画面を表示するまでに時間を要するようになる。そこで、実施の形態２に係るプラント監視制御システム１００では、スクラップブック画面をサムネイルとして保存することで、最短の処理操作で任意の画面に遷移できる機能を提供する。これにより、ユーザの操作性が向上する。
【００１９】
サムネイルとは、多数の画像を一覧表示するために、本来のサイズより大幅に縮小された画像データのことである。画像閲覧ソフトや画像編集ソフトなどの機能の一つで、記憶装置から読み込む画像を選択する際などに用いられている。図７は、本実施の形態に係るサムネイルの保存処理を表すフローを示している。まず、サムネイルの保存対象とするスクラップブック画面を表示する。画面の遷移後に、この画面をデータベース４にサムネイルとして保存する。保存後にサムネイル画像は、データベース４のサムネイルエリアにスクラップブック画面番号を伴って登録される。
【００２０】
図８は、本実施の形態に係るサムネイル画面を示している。メニューからサムネイルを選択し、このサムネイルを押下すると、スクラップブック画面において、サムネイル画像が番号に従って順次遷移する。図のスクラップブック画面には、サムネイル画像♯１からサムネイル画像♯Ｎが候補として底部に提示されている。ユーザは、遷移するサムネイル画像をみて、呼び出す画面を選択する。これにより、視覚的にスクラップブック画面の表示している情報が確認できるため、ユーザの操作性が向上する。
【００２１】
実施の形態３．
上記実施の形態１によれば、スクラップブック画面を使って、１つの画面でいろいろな画面をリアルタイムで確認することが可能である。しかし、機器が故障した場合などには、その当時の状況を保存することができない。そこで、実施の形態３に係るプラント監視制御システム１００では、当時の状況を画像として保存することができる機能を提供する。これにより、停電発生時などの機器の状況を画像として保存することが可能となり、監視員の習熟訓練に用いることが可能となる。
【００２２】
図９は、本実施の形態に係る画像の表示処理を表すフローを示している。まず、対象画面を選択し、表示装置に表示する。事故などが発生した場合は、現場機器の故障番号などが監視端末から監視制御サーバに通知される。監視制御サーバは、故障番号のデータを表示した状態の監視制御画面を、画像データとしてデータベースに保存する。保存後にこの画像データはスクラップブック画面番号を伴って登録される。
【００２３】
図１０は、本実施の形態に係る監視制御画面を示している。図１０Ａには、３個の現場機器１ａ〜１ｃが表示されている。この状態では、全ての現場機器が正常に動作している。ユーザは、ポインティングデバイスにより、切り取り範囲をドラッグにて選択する。図中の点線領域が今回の切り取り範囲を示している。その後、監視端末３から現場機器１ｃに事故が発生したことが監視制御サーバに通知されたとする。図１０Ｂは、現場機器１ｃに事故が発生したことを表している。監視制御サーバは、故障時のデータを含んでいる切り取り範囲を、画像データとしてデータベースに保存する。画像ファイルは、サムネイル保存のみでなく、ＰＮＧ（Portable Network Graphics）、ＢＭＰ（Bitmap Image）など
の画像形式として保存および表示ができる。
【００２４】
実施の形態４．
上記実施の形態１では、スクラップブック画面に表示する監視対象の画面をユーザが任意で選択している。この実施の形態によれば、スクラップブック画面を作成するまでには、画面の切り取りやレイアウトの調整などの作業が発生する。そこで、実施の形態４に係るプラント監視制御システム１００では、これまでユーザが操作してきた履歴情報から、スクラップブック画面に表示するべき候補を選択して予め表示できる機能を提供する。これにより、スクラップブック画面の作成に要する時間の削減が可能となる。
【００２５】
図１１は、本実施の形態に係るスクラップブック対象画面の選択処理を表すフローを示している。本実施の形態によるプラント監視制御システム１００では、監視制御画面の表示履歴が随時保存される。ユーザがスクラップブック画面を作成する場合には、監視制御サーバは、アクセス頻度の多い画面を候補として設定する。表示された候補の中から、ユーザは、気に入った画面を新しいスクラップブック画面として保存する。保存後にこの画像データはスクラップブック画面番号を伴って登録される。
【００２６】
図１２は、本実施の形態に係るスクラップブックに関係した画面表示情報を示している。このテーブルは、ユーザＩＤ、要素画面番号、アクセス日時などから構成されている。このテーブルから、誰が、どの画面を、いつアクセスしたかがわかる。監視制御サーバは、このテーブルから、アクセス頻度の多い画面を候補として抽出する。例えば、このテーブルから、要素画面番号：13100の画面と要素画面番号：14123の画面が、アクセス頻度が高いことが分かったとする。
【００２７】
図１３は、図１２のテーブルに示されているアクセス頻度を元に選択されたスクラップブック画面の候補を示している。スクラップブック画面には、要素画面番号：13100の画面と要素画面番号：14123の画面が表示されている。ユーザは、この候補を登録する必要があると判断すれば、メニューから保存ボタンを押下する。保存後にこの画像データは、スクラップブック画面番号を伴って登録される。
【００２８】
実施の形態５．
上記実施の形態４では、スクラップブック画面の表示候補をユーザが操作してきた画面の履歴情報から抽出を行っていた。しかし、画面の履歴情報だけでは、１つの画面内に関係のない表示候補が上がる可能性がある。そこで、実施の形態５に係るプラント監視制御システム１００では、キーワードを入力することで、１つのスクラップブック画面で表示するべき候補の精度を向上させる機能を提供する。これにより、スクラップブック画面の作成に要する時間の削減が可能となる。
【００２９】
図１４は、本実施の形態に係るスクラップブック対象画面の選択処理を表すフローを示している。本実施の形態によるプラント監視制御システム１００では、あらかじめ用途別の関連付けテーブルが作成されている。ユーザがスクラップブック画面を作成する場合には、キーワードを入力する。監視制御サーバは、テーブルを検索して、入力されたキーワードに紐づく画面をスクラップブック画面に表示する。ユーザは、表示された候補の中から、気に入った画面を新しいスクラップブック画面として保存する。保存後にこの画像データはスクラップブック画面番号を伴って登録される。
【００３０】
図１５は、本実施の形態に係る画面表示情報を表している。このテーブルは、用途、機能、要素画面番号などから構成されている。本実施の形態によるプラント監視制御システム１００では、このような、用途別の関連付けテーブルがあらかじめ作成されている。監視制御サーバは、このテーブルから、関連性が紐づけられている画面を候補として設定する。例えば、要素画面番号：14100に関連するキーワード「ＸＸＸ」を入力すると、要素画面番号：14156の画面、要素画面番号：14666の画面、要素画面番号：13100の画面、および要素画面番号：10500の画面が候補対象となる。
【００３１】
なお、本発明は、その発明の範囲内において、実施の形態を自由に組み合わせたり、各実施の形態を適宜、変形、省略することが可能である。
【符号の説明】
【００３２】
１  現場機器、１ａ  現場機器、１ｂ  現場機器、１ｃ  現場機器、２  監視制御サーバ、３  監視端末、３ｃ  ケーブル、４  データベース、６  ネットワーク、７  表示装置、８  ポインティングデバイス、１００  プラント監視制御システム
【図１】
0006523160.tif 000002
【図２】
0006523160.tif 000003
【図３】
0006523160.tif 000004
【図４】
0006523160.tif 000005
【図５】
0006523160.tif 000006
【図６】
0006523160.tif 000007
【図７】
0006523160.tif 000008
【図８】
0006523160.tif 000009
【図９】
0006523160.tif 000010
【図１０】
0006523160.tif 000011
【図１１】
0006523160.tif 000012
【図１２】
0006523160.tif 000013
【図１３】
0006523160.tif 000014
【図１４】
0006523160.tif 000015
【図１５】
0006523160.tif 000016